(57)【要約】  【課題】本発明は、ＲＦＩＤラベルシート及びＲＦＩＤラベルに関し、リーダライタに対する位置関係の制約がなく、また、物品への貼付作業性の良好とする物品表面に対してＲＦＩＤインレットを離隔させる新たな形態とさせることを目的とする。  【解決手段】ラベル上紙１３のＲＦＩＤインレット１２が形成された面側に粘着剤層１５を介して剥離紙１４が設けられ、この剥離紙１４は、切取線（スリット）１６Ａ，１６Ｂ，１６Ｃにより、一方端側の第１剥離紙１４Ａと、他方端側から、第２剥離紙１４Ｂ、第３剥離紙１４Ｃと、ラベル上紙１３上のＲＦＩＤインレット１２が当該第３剥離紙１４Ｃ側に設けられた部分に対応する第４剥離紙１４Ｄとに区分される構成とする。  【選択図】  図１
2010026681.tif 000002
【特許請求の範囲】
【請求項１】
物品に貼付されることで当該物品に関する情報について非接触でリーダライタと通信可能とされるＲＦＩＤラベルシートであって、
基材上にアンテナ部及びＩＣチップで構成されるＩＣモジュールが形成されるＲＦＩＤインレットを備えるラベル上紙と、
前記ラベル上紙に粘着剤層を介して設けられる剥離紙と、
を少なくとも備え、
前記剥離紙には、一方端側の一部を第１剥離紙として分離自在とする第１切取線が形成されると共に、他方端側から、物品への貼付のための上記粘着剤層を表出させる第２剥離紙として分離自在とする第２切取線、続いて、前記ラベル上紙の一方端から折り曲げて上記第１剥離紙の分離で表出された粘着剤層と接着させる粘着剤層を表出させるための第３剥離紙とさせる第３切取線が形成され、
前記ＲＦＩＤインレットは、前記第１剥離紙と第３剥離紙との間の第４剥離紙に対応する前記ラベル上紙の、当該第３剥離紙側に対応する部分に設けられることを特徴とするＲＦＩＤラベルシート。
【請求項２】
請求項１記載のＲＦＩＤラベルシートより作製されるＲＦＩＤラベルであって、
前記第１剥離紙及び第３剥離紙を剥離させ、前記ラベル上紙が前記一方端側から空間領域を設けるように折り曲げられて、当該第３剥離紙で表出される前記粘着剤層部分に当該第１剥離紙で表出される前記粘着剤層部分が接着されていることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルシート及びＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤を塗布されることでＲＦＩＤラベルとされる。このようなＲＦＩＤラベルは、物品に貼り付けられ、リーダライタとの非接触の通信により物品管理等に利用されるが、貼り付けられる物品の表面が金属等の場合の通信障害を回避させる必要がある。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で、又はアンテナの一部を折り立てることや（特許文献１，２）、ＲＦＩＤラベルシートを中空四角柱に折り込んで立設させること（特許文献３）が提案されている。
【０００４】
また、ＲＦＩＤインレットの部分を物品の金属表面から離隔するために、ＲＦＩＤインレットが形成されたラベル基体の一部を、当該ＲＦＩＤインレットを挟み込むように折り込んで台紙に仮着しておき、当該ラベル基体を台紙より分離し、当該被着体上に折り部分を立設させて貼付することによりＲＦＩＤインレットを離隔させること（特許文献４）も提案されており、さらに、ＲＦＩＤインレットの部分と物品の金属表面との間に空間領域を形成させるように折り曲げた形状とさせることも提案されている（特許文献５）。
【０００５】
【特許文献１】特開２００７−１２２５４２号公報
【特許文献２】特開２００７−１６４３９９号公報
【特許文献３】特開２００７−１７２３６９号公報
【特許文献４】特開２００７−２７１７０７号公報
【特許文献５】特開２００７−２６４８６８号公報
【発明の開示】
【発明が解決しようとする課題】
【０００６】
しかしながら、特許文献１〜４のように、ＲＦＩＤインレット部分やアンテナの一部を折り立てたり、立設させたりすることや、ＲＦＩＤラベルシートを中空四角柱に折り込んで立設させることは、リーダライタと通信する状態では少なくともアンテナが物品表面より空間方向に角度を有することとなる。すなわち、通信周波数がマイクロ周波数帯（例えば数百〜２０４５ＧＨｚ）では指向性が狭くなり、ＲＦＩＤインレット又はアンテナに対してリーダライタとの位置関係が限られて制約されるという問題がある。
【０００７】
その点、特許文献５は、特許文献１〜４と異なり、ＲＦＩＤインレットが平面状態又は略平面状態で物品に貼付されてリーダライタとの位置関係で制約を受けることはないが、物品にＲＦＩＤラベルを貼付する際にＲＦＩＤインレット部分を立体的に浮き立たせるように組み立てなければならず、貼付作業性が好ましくないという問題がある。
【０００８】
そこで、本発明は上記課題に鑑みなされたもので、リーダライタに対する位置関係の制約がなく、また、物品への貼付作業性を良好とする物品表面に対してＲＦＩＤインレットを離隔させる新たな形態とさせるＲＦＩＤラベルシート及びＲＦＩＤラベルを提供することを目的とする。
【課題を解決するための手段】
【０００９】
上記課題を解決するために、請求項１の発明では、物品に貼付されることで当該物品に関する情報について非接触でリーダライタと通信可能とされるＲＦＩＤラベルシートであって、基材上にアンテナ部及びＩＣチップで構成されるＩＣモジュールが形成されるＲＦＩＤインレットを備えるラベル上紙と、前記ラベル上紙に粘着剤層を介して設けられる剥離紙と、を少なくとも備え、前記剥離紙には、一方端側の一部を第１剥離紙として分離自在とする第１切取線が形成されると共に、他方端側から、物品への貼付のための上記粘着剤層を表出させる第２剥離紙として分離自在とする第２切取線、続いて、前記ラベル上紙の一方端から折り曲げて上記第１剥離紙の分離で表出された粘着剤層と接着させる粘着剤層を表出させるための第３剥離紙とさせる第３切取線が形成され、前記ＲＦＩＤインレットは、前記第１剥離紙と第３剥離紙との間の第４剥離紙に対応する前記ラベル上紙の、当該第３剥離紙側に対応する部分に設けられる構成とする。
【００１０】
請求項２の発明では、請求項１のＲＦＩＤラベルシートより作製されるＲＦＩＤラベルであって、前記第１剥離紙及び第３剥離紙を剥離させ、前記ラベル上紙が前記一方端側から空間領域を設けるように折り曲げられて、当該第３剥離紙で表出される前記粘着剤層部分に当該第１剥離紙で表出される前記粘着剤層部分が接着されている構成とする。
【発明の効果】
【００１１】
本発明によれば、ＲＦＩＤインレットを備えるラベル上紙に対応する剥離紙が粘着剤層を介して設けられ、剥離紙に、一方端側の一部を第１剥離紙として分離自在とする第１切取線を形成させ、また、他方端側から、物品への貼付のための粘着剤層を表出させる第２剥離紙として分離自在とする第２切取線、続いて、ラベル上紙の一方端から折り曲げて第１剥離紙の分離で表出された粘着剤層と接着させる粘着剤層を表出させるための第３剥離紙とさせる第３切取線を形成させ、上記ＲＦＩＤインレットを、第１剥離紙と第３剥離紙との間の第４剥離紙に対応するラベル上紙の、当該第３剥離紙側に対応する部分に設けられるＲＦＩＤラベルシートを構成とすることにより、第１剥離紙及び第３剥離紙を剥離させてラベル上紙の一方端側から空間領域を設けるように折り曲げ、当該第３剥離紙で表出される粘着剤層部分に当該第１剥離紙で表出される粘着剤層部分を接着させてＲＦＩＤラベルとさせるもので、これによってＲＦＩＤインレットを物品表面に対する貼付時に略平面状態で配置させることが可能となってリーダライタに対する位置関係の制約を回避させることができ、また、第１剥離紙及び第３剥離紙を剥離させてラベル上紙を単に空間領域を設けるように折り曲げるだけでよいことから、物品への貼付作業性の良好とする物品表面に対してＲＦＩＤインレットを離隔させる新たな形態とさせることができるものである。
【発明を実施するための最良の形態】
【００１２】
以下、本発明の最良の実施形態を図により説明する。本発明では、物品への貼付以前の形態がＲＦＩＤラベルシートであり、物品に貼付させるための形態がＲＦＩＤラベルである。
【００１３】
図１に本発明に係るＲＦＩＤラベルシートの第１実施形態の構成図を示すと共に、図２に図１のＲＦＩＤラベルシートの作製説明図を示す。図１（Ａ）、（Ｂ）において、ＲＦＩＤラベルート１１は、ラベル上紙１３がその基材上にＲＦＩＤインレット１２を備える。ＲＦＩＤインレット１２は、アンテナ部及びＩＣチップで構成されるＩＣモジュールが形成されたもので従前のものと同様のものである。なお、ラベル上紙１３は材質として紙類の他にフィルム材を含む概念である。
【００１４】
当該ラベル上紙１３の上記ＲＦＩＤインレット１２が形成された面側に粘着剤層１５を介して剥離紙１４が設けられる。この剥離紙１４は、切取線（スリット）１６Ａ，１６Ｂ，１６Ｃにより、一方端側の第１剥離紙１４Ａと、他方端側から、第２剥離紙１４Ｂ、第３剥離紙１４Ｃと、ラベル上紙１３上のＲＦＩＤインレット１２が当該第３剥離紙１４Ｃ側に設けられた部分に対応する第４剥離紙１４Ｄとに区分される。
【００１５】
換言すれば、剥離紙１４において、一方端側の一部を第１剥離紙１４Ａとして分離自在とする第１切取線１６Ａが形成されると共に、他方端側から、物品への貼付のための上記粘着剤層１５を表出させる第２剥離紙１４Ｂとして分離自在とする第２切取線１６Ｂ、続いて、ラベル上紙１３の一方端から折り曲げて上記第１剥離紙１４Ａの分離で表出された粘着剤層１５と接着させる粘着剤層１５を表出させるための第３剥離紙１４Ｃとさせる第３切取線１６Ｃが形成されるもので、切取線１６Ａと切取線１６Ｃで第４剥離紙１４Ｄが形成され、当該第４剥離紙１４Ｄの第３剥離紙１４Ｃ側に対応するラベル上紙１３に上記ＲＦＩＤインレット１２が設けられるものである。
【００１６】
このようなＲＦＩＤラベルシート１１は、まず、図２（Ａ）に示すように、ラベル上紙１３上であって、中央部分より他方端側にずらせた位置（上記第４剥離紙１４Ｄに対応する領域内であって、第３剥離紙１４Ｃ側）にＲＦＩＤインレット１２が形成される。例えば、ＲＦＩＤインレット１２を、基材にアンテナ部を導電性インキで印刷により形成し、当該アンテナ部の端部にＩＣチップを実装させたものである。
【００１７】
このラベル上紙１３のＲＦＩＤインレット１２が形成された全面に、図２（Ｂ）に示すように、粘着剤層１５が形成される。なお、ラベル上紙１３上に粘着剤層１５を形成し、一方でＲＦＩＤインレット１２を別のシート基材に形成してインレットシート１８として、当該インレットシート１８を粘着剤層１５上の該当位置に貼着することとしてもよく、この場合に、さらにその上から粘着剤層を形成することとしてもよい。
【００１８】
そして、当該粘着剤層１５に、図２（Ｃ）に示すように、剥離紙１４が貼り付けられ、図２（Ｄ）に示すように、剥離紙１４に切取線（スリット）１６Ａ，１６Ｂ，１６Ｃを形成して、一方端側を第１剥離紙１４Ａとし、他方端側から、第２剥離紙１４Ｂ、第３剥離紙１４Ｃ，第４剥離紙１４Ｄとして区分するものである。なお、切取線（スリット）１６Ａ〜１６Ｃは、例えばレーザ光や押し型等により剥離紙１４のみを貫通させて形成される。
【００１９】
そこで、図３に、図１のＲＦＩＤラベルシートからの物品に貼付させる形態のＲＦＩＤラベルの作製説明図を示す。まず、図３（Ａ）に示すＲＦＩＤラベルシート１１から、図３（Ｂ）に示すように、第１剥離紙１４Ａと第３剥離紙１４Ｃとを剥離する。この剥離した第１剥離紙１４Ａ及び第３剥離紙１４Ｃによって、当該部分で粘着剤層１５が表出される。
【００２０】
そして、図３（Ｃ）に示すように、第２剥離紙１４Ｂを残したまま、ラベル上紙１３の一方端（第１剥離紙１４Ａを剥離した側）を他方端側に空間領域１７を設けて折り曲げ、第３剥離紙１４Ｃで表出される粘着剤層１５部分に第１剥離紙１４Ａで表出される粘着剤層１５部分を接着させることでＲＦＩＤラベル１１Ａとさせるものである。
【００２１】
続いて、図４に、図３のＲＦＩＤラベルの使用形態の説明図を示す。図４（Ａ）に示すＲＦＩＤラベル１１Ａは、第２剥離紙１４Ｂが剥離されて分離される。当該第２剥離紙１４Ｂが分離されて表出された粘着剤層１５により、金属表面の物品２１に貼付させるものである。この場合、ＲＦＩＤインレット１２は、ラベル上紙１３上の第４剥離紙１４Ｄの部分に対応し、第３剥離紙１４Ｃ側に対応して設けられていることから、物品表面に対して空間領域１７を介して離隔され、また、物品表面に対して略平面状態で位置されることとなるものである。
【００２２】
このように、図１に示す上記構成のＲＦＩＤラベルシート１１から、図３に示すようなＲＦＩＤラベル１１Ａとさせることにより、ＲＦＩＤインレット１２を物品表面に対して略平面状態で配置させることが可能となってリーダライタに対する位置関係の制約を回避させることができ、また、第１剥離紙１４Ａ及び第３剥離紙１４Ｃを剥離させてラベル上紙１３を単に空間領域１７を設けるように折り曲げるだけでよいことから、物品２１への貼付作業性の良好とする物品表面に対してＲＦＩＤインレット１２を離隔させる新たな形態とさせることができるものである。
【産業上の利用可能性】
【００２３】
本発明のＲＦＩＤラベルシート及びＲＦＩＤラベルは、物品管理等のために物品情報が担持されるラベルの製造、使用に利用可能である。
【図面の簡単な説明】
【００２４】
【図１】本発明に係るＲＦＩＤラベルシートの第１実施形態の構成図である。
【図２】図１のＲＦＩＤラベルシートの作製説明図である。
【図３】図１のＲＦＩＤラベルシートからの物品に貼付させる形態のＲＦＩＤラベルの作製説明図である。
【図４】図３のＲＦＩＤラベルの使用形態の説明図である。
【符号の説明】
【００２５】
１１            ＲＦＩＤラベルシート
１１Ａ          ＲＦＩＤラベル
１２            ＲＦＩＤインレット
１３            ラベル上紙
１４            剥離紙
１５            粘着剤層
１６            切取線
１７            空間領域
２１            物品
【図１】
2010026681.tif 000003
【図２】
2010026681.tif 000004
【図３】
2010026681.tif 000005
【図４】
2010026681.tif 000006